(57)【特許請求の範囲】
【請求項１】
壁に沿って延伸しかつ支持体（３１、３２、３３）により該壁に接続されたケーブル（３０）から成る救命索に使用する滑り部材であって、該滑り部材をケーブル（３０）が滑動する溝（２）を有する本体（１）と、他端を安全ベルトに接続させたラニヤードの一端を収容させるようにしたハンドル（２１）と、ケーブル上に滑り部材を取付けることができるように溝内にスロット（４）を形成するようにした移動顎部材（５）とから構成し、滑り部材にはケーブル（３０)の支持体（３１、３２、３３）の厚さに対応するスロット（４）を形成させるために移動顎部材を第１中間位置において僅かに開口した状態に保持する手段と、ケーブル（３０）上に滑り部材を取付けることができるようにするためスロットの大きさを第２開口位置に増大させるように移動顎部材（５）の開口部を制御させる手段と、前記ハンドル（２１）に牽引力が付加された場合に、移動顎部材（５）が回動し、そしてスロット（４）が完全に閉塞される第３安全位置に滑り部材を自動的に位置決めする手段を備えたことを特徴とする救命索に使用する滑り部材。
【請求項２】
移動顎部材（５）を軸（６）上に接合させ、移動顎部材（５）にはスロット（４）を閉塞させる位置に向けて移動顎部材（５）を付勢するばね手段（８）の作用に対して本体（１）の内側で移動できるヒール部（７）を備え、ハンドル（２１）をヒール部材（７）に形成した通路（２６）内で移動できる軸（２５）により支持させ、本体（１）にはハンドルの軸（２５）と係合するカム（２７）を備え、ハンドル（２１）の軸(２５)が下方向に移動すると、移動顎部材が安全位置に向って回動し、ハンドル（２１）の軸（２５）が上方向に移動した場合に移動顎部材が開口位置に向かって回動するようにカムと通路（２６）とを垂直軸線に対して反対方向に傾斜させたことを特徴とする請求項１に記載の救命索に使用する滑り部材。
【請求項３】
ヒール部材（７）にはプランジャー（１１）がばね手段の作用に対して滑動する開口部を備え、プランジャーにはハンドル（２１）の軸（２５）と対向するように移動できる切欠部（１２）を備え、軸（２５）を上方に移動可能にし、それにより移動顎部材を開口位置に向かって回動可能にしたことを特徴とする請求項２に記載の救命索に使用する滑り部材。
【請求項４】
ハンドル（２１）の軸（２５）をプランジャーに対接するようにばね手段（８）により押圧させ、その位置で移動顎部材を中間位置に保持させることを特徴とする請求項３に記載の救命索に使用する滑り部材。
【請求項５】
移動顎部材がスロットを閉鎖する位置に向かって移動顎部材を付勢させるばね手段（８）を弾性発泡プラスチック材料の層から構成したことを特徴とする請求項２に記載の救命索に使用する滑り部材。
【請求項６】
ハンドル（２１）の軸（２５）を通路（２６）内で上方に付勢させるばね手段（２８）を通路（２６）と軸（２５）との間に介在させた弾性発泡プラスチック材料の層から構成したことを特徴とする請求項４に記載の救命索に使用する滑り部材。
【発明の詳細な説明】
【０００１】
【産業上の利用分野】
本発明は救命索に使用する滑り部材に関するものである。
【０００２】
本発明は詳述すれば壁に沿って水平に固定された救命索上に取付けられるようにした滑り部材であって、該滑り部材は不慮の落下の場合から作業者を保護するためにケーブルにより壁に沿って作業する作業者に装着された安全ベルトに接続させるようにしたものである。
【０００３】
【発明が解決しようとする課題】
本発明の目的は救命索上に容易に取付けることができると共に救命索上を容易に滑動することができる高度の安全性を付与する救命索に使用する滑り部材を提供することにある。
【０００４】
【課題を解決するための手段】
本発明による滑り部材は壁に沿って延伸しかつ支持体により壁に接続されているケーブルから成る水平救命索に使用するためのものであって、該滑り部材をケーブルが滑動する溝を有する本体と、他端を安全ベルとに接続させたラニヤードの他端を収容するようにしたハンドルと、滑り部材をケーブル上に取付けることができるように溝にスロットを形成する移動顎部材とから構成し、滑り部材にはケーブル用の支持体の厚さに対応するスロットを形成するため第１中間位置において移動顎部材を僅かに開口した状態に保持するための手段と、滑り部材をケーブル上に取付けることができるようにするために第２開口位置においてスロットの大きさを増大させるように移動顎部材の開口を制御する手段と、ハンドルに牽引力が付加された場合に移動顎部材が回動し、そしてスロットが完全に閉塞する安全位置に滑り部材を自動的に位置決めさせる手段とを備えたことを特徴とするものである。
【０００５】
従って、本発明による滑り部材はケーブル上に非常に簡単に取付けることができ、ケーブル支持体が位置する場所であってもケーブルに沿って容易に滑動することができ、しかも作業者が万一落下した場合にはスロットが閉鎖されるようになっている。
【０００６】
本発明による滑り部材の１つの構造上の特徴によれば、移動顎部材は軸上に接合され、スロットを閉鎖する位置に向かって移動顎部材を付勢させるばね手段の作用に対して本体の内側で移動できるヒール部材を備え、ハンドルはヒール部材に形成した通路内で移動できる軸により支持され、本体にはハンドルの軸が係合するカムを備え、そのカムと通路とはハンドルの軸が下方に移動した場合、移動顎部材が安全位置に向かって回動し、ハンドルの軸が上方に移動した場合、移動顎部材が開口位置に向かって回動するように垂直軸線に対して反対方向にそれぞれ傾斜している。
【０００７】
本発明による滑り部材の他の特徴によれば、ヒール部材はプランジャーがばね手段の作用に対して滑動することでができる開口部を備え、プランジャーはハンドルの軸に対向するように移動する切欠部を備え、それにより軸は上方に移動でき、移動顎部材が開口位置に向かって回動することができる。
【０００８】
本発明による滑り部材の別の構成上の特徴によれば、ハンドルの軸はプランジャーに対接するようにばね手段により押圧され、その位置でばね手段は移動顎部材を中間位置に保持する。
【０００９】
移動顎部材がスロットを閉鎖する位置に向かって移動顎部材を付勢させるばね手段は弾性発泡プラスチック材料の層から構成されている。
【００１０】
最後に、ハンドルの回転軸を通路の上方に付勢させるばね手段は通路の底部と軸との間に介在させた弾性発泡プラスチック材料の層から構成されている。
【００１１】
本発明を添付図面に示した実施例について以下に詳述する。
【００１２】
【発明の実施の形態】
図に示した滑り部材はその上部にスロット４を有する溝２を備えると共に固定顎部材３と移動顎部材５とにより形成された本体１から成り、移動顎部材５は軸６上に接合され、そして弾性発泡プラスチック材料層から成るばね手段８の作用に対して本体１内で移動するヒール部材７により延伸している。
【００１３】
案内面１３と１４により形成されている開口部１０は開口部１０内に取付けられかつばね手段８の作用に対して滑動できるプランジャー１１を収容するためにヒール部材７内に形成されている。
【００１４】
プランジャー１１は移動顎部材５の下部に形成した開口部１０を介して外部から接近できそして下方に対面する面上に切欠部１２を有すると共にその反対面上に溝１６を備えている。
【００１５】
軸６は本体１のフランジ１８内の軸受１７により支持されている。
【００１６】
本体１は２つのスロット１９を備え、該スロット１９中にハンドル２１に取付けられた突起２０が挿入され、ハンドル２１はラニヤードの一端に固定されているカラビナを収容するようになっており、ラニヤードの他端は使用者が装着している安全ベルトに取付けられるようになっている。
【００１７】
突起２０はヒール部材７に形成された通路２６を貫通する軸２５に固定されており、軸２５の両端はフランジ１８に備えられたカム２７中に案内され、通路２６の底部は弾性発泡プラスチック材料層のばね手段２８で裏打ちされ、該弾性発泡プラスチック材料層のばね手段２８は軸２５をプランジャー１１に対して接合させる中間位置に付勢させるばね部材を構成する。
【００１８】
通路２６は垂直軸線に対して傾斜しているので、通路２６の底部はその上部よりもばね手段８に一層接近している。
【００１９】
カム２７は通路２６に対して反対方向に傾斜し、通路２６の底部とカム２７の下端は顎部材５が固定顎部材３に接合しかつスロット４が閉鎖した位置で互いに合致する。
【００２０】
図３に示したように、滑り部材は壁に沿って延伸しかつ壁に取付けられたブラケット３１により支持された水平ケーブル３０からなる救命索上で使用されるようになっており、ブラケット３１にはスターラップ３２上の突起３３が固定され、スターラップ３２にケーブル３０を通過させ、そしてスターラップ３２を截頭円錐形スリーブ３４により延伸させている。
【００２１】
滑り部材は３つの位置を備えている。中間の位置（図１、３および６参照）では、顎部材５が顎部材３から僅かに離間していてスロット４を開口させ、スロット４の幅はケーブル３０の直径より小さいが突起３３の厚さより僅かに大きいので、滑り部材はスリーブ３４上で回動させることを条件としてスターラップ３２上を自由に通過することができる。従って本発明による滑り部材は本体１が突起２０上で自由にどちらの方向にも回動することができるのでいずれの方向の移動にも使用できることを注目すべきである。
【００２２】
滑り部材の第２位置は開口位置（図２、５および７参照）であり、滑り部材をケーブル３０上に取付けることができ、顎部材５が軸６を中心に回動するのでスロット４はケーブル３０が貫通するに十分な幅を備える。
【００２３】
最後に、第３位置は安全位置である（図８参照）。この位置は、ハンドル２１が引張られた場合、たとえば作業者が落下した場合に自動的に得られる。この場合に顎部材５は固定顎部材３に締付けられ、スロット４は閉鎖される。
【００２４】
滑り部材の弛緩位置は第１位置であり、顎部材５を第２位置に移動させねばならない場合、圧力をプランジャー１１（図５と７参照）に加え、ハンドル２１の上方回動により軸２５が通路２６中を滑動して切欠部１２に押込まれる。軸２５の滑動はカム２７により案内され、該カム２７は傾斜しており、そして顎部材５を軸６を中心に回動させる。
【００２５】
滑り部材を第１位置に戻すためには、プランジャー１１を手放すことで十分で、それによりばね手段８が軸２５を切欠部１２から脱出させると、プランジャーは弾性材料層８によりその当初の位置に戻される。この中間位置にあって軸２５は弾性層２８により通路２６の底部から離間してプランジャー１１に当接していることに注目されたい（図６参照）。ハンドル２１に牽引力が加えられた場合（図８参照）、軸２５は下方に引張られ、そして可撓性の弾性材料層２８を圧縮する。この運動中、カム２７はヒール７部材を安全位置に対応するスロット４を閉鎖する方向に回動させる。
【００２６】
滑り部材は牽引力がハンドル２１から除去された時にその中間位置に自動的に復帰する。
【００２７】
上述の装置は極めて安全でかつその使用が特に簡単であることは明らかであり、操作ミスによる危険の発生を防止することができる。
【００２８】
もちろん、本発明は図示しかつ上述した実施例に限定するものではなく、本発明の範囲から逸脱することなく各種の変形例を形成することができる。
【図面の簡単な説明】
【図１】中間位置にある本発明による滑り部材の斜視図である。
【図２】開口位置にある滑り部材の斜視図である。
【図３】中間位置にあって救命索上に取付けられた滑り部材の斜視図である。
【図４】中間位置にある滑り部材を切欠して示す部分的斜視図である。
【図５】開口位置にある滑り部材を切欠して示す部分的斜視図である。
【図６】図１の６−６に沿う縦断側面図である。
【図７】図２の７−７に沿う縦断側面図である。
【図８】使用者が落下した状態の滑り部材の作動位置を示す図６と７と同様の図である。
【符号の説明】
１      本体
２      溝
３      固定顎部材
４      スロット
５      移動顎部材
６      軸
７      ヒール部材
８      ばね部材層
１０    開口部
１１    プランジャー
１２    切欠
１３    案内面
１４    案内面
１６    溝
１７    軸受
１８    フランジ
１９    スロット
２０    突起
２１    ハンドル
２５    軸
２６    通路
２７    カム
２８    ばね部材層
３０    水平ケーブル
３１    ブラケット
３２    スターラップ
３３    突起
３４    截頭円錐形スリーブ
【図１】
0004686079.tif 000002
【図２】
0004686079.tif 000003
【図３】
0004686079.tif 000004
【図４】
0004686079.tif 000005
【図５】
0004686079.tif 000006
【図６】
0004686079.tif 000007
【図７】
0004686079.tif 000008
【図８】
0004686079.tif 000009